(57)【特許請求の範囲】
【請求項１】
第１の光ファイバ群である加入者系光ファイバケーブル(17)の光ファイバ群と第２の光ファイバ群である局内光ファイバケーブル(16)の光ファイバ群とを、光ファイバ試験装置(11)が接続されている光カプラ(2) を含み前記第１の光ファイバ群を収容する試験アクセスユニット(48)、及び前記第２の光ファイバ群を収容する保持盤ユニット(49)を介して切替可能に接続する光ファイバケーブル終端装置において、
当該光ファイバケーブル終端装置は、前記試験アクセスユニット(48)の光カプラ(2) と保持盤ユニット(49)とを接続する複数の挿抜光ファイバ(27)を有すると共に、これら試験アクセスユニットと保持盤ユニットとの間に、前記光カプラの一方の側の入出力ポートにそれぞれ接続されている複数の光コネクタアダプタ(23)を保持する接続盤(47)と、前記挿抜光ファイバを移動自在に保持する複数の貫通孔を有する整列盤(26)と、挿抜光ファイバを保持する保持盤(38)とを有し、
前記第１の光ファイバ群を前記光カプラの他方の側の入出力ポートにそれぞれ接続し、
前記挿抜光ファイバの一端にそれぞれ光コネクタ(24)を接続し、これら光コネクタ(24)を前記接続盤の各光コネクタアダプタ(23)にそれぞれ挿脱自在に装着し、挿抜光ファイバの他端は前記整列盤の各貫通孔及び保持盤を経て前記保持盤ユニット(49)に収容し、
前記整列盤(26)の両側に挿抜光ファイバの予長部分を収納する光ファイバ収納部(39,40) をそれぞれ設け、挿抜光ファイバの切替の際に必要な挿抜光ファイバ(27)の予長部分を前記光ファイバ収納部に収納することを特徴とする光ファイバケーブル終端装置。
【請求項２】
前記挿抜光ファイバを、その被覆の内部に帯電防止剤を含む光ファイバとしたことを特徴とする請求項１に記載の光ファイバケーブル終端装置。
【請求項３】
前記挿抜光ファイバを、カーボンコート光ファイバとしたことを特徴とする請求項１又は２に記載の光ファイバケーブル終端装置。
【請求項４】
前記挿抜光ファイバが、整列盤の保持孔により引き止められるストッパを有することを特徴とする請求項１から３までのいずれか１項に記載の光ファイバケーブル終端装置。
【請求項５】
前記挿抜光ファイバを、識別符号が付されたものとしたことを特徴とする請求項１から４までのいずれか１項に記載の光ファイバケーブル終端装置。
【請求項６】
前記整列盤の各保持孔には、挿抜光ファイバを挿入するための挿入スリット又は複数の保持孔に共通する挿入スリットを形成したことを特徴とする請求項１から５までのいずれか１項に記載の光ファイバケーブル終端装置。
【請求項７】
前記整列盤の保持孔の径を、複数本の挿抜光ファイバを保持することが可能な径としたことを特徴とする請求項１から６までのいずれか１項に記載の光ファイバケーブル終端装置。
【請求項８】
前記保持盤ユニットが、１本の光ファイバを複数の光ファイバに分岐する光スプリッタを具えることを特徴とする請求項１から７までのいずれか１項に記載の光ファイバケーブル終端装置。
【発明の詳細な説明】
【０００１】
【発明の属する技術分野】
本発明は、高度な光通信網における光ファイバケーブル終端装置において、光ファイバを高密度に且つ整然と実装し、その光ファイバの接続切替えの操作性の向上を可能にする終端装置に関するものである。
【０００２】
【従来の技術】
従来の光ファイバケーブル終端装置（ＦＴＭ：Fiber Termination Module）を以下に説明する。一般的にＦＴＭは加入者光ファイバケーブルと設備センター局舎の所内光ファイバケーブルとの接続点に設置されている。従来例として、電子情報通信学会技術研究報告CS95-50,OCS95-16,P.59-66, 「光線路試験システムの高速化・大容量化技術に関する検討」に記載されているものがある。
【０００３】
図９に従来のＦＴＭを含む所内設備の構成を示す。100 はＦＴＭ、２は光カプラ、３は光ファイバ選択装置（ＦＳ：Fiber Selector）、４は光カプラ２からの試験用分岐光ファイバ、５は光合分波器、６は伝送装置側光フィルタ、７は通信系光加入者線端局装置、８は映像系光加入者線端局装置、９は光加入者線端局装置収容架、10はスターカプラ架、11は試験装置架（ＴＥＭ：Test Equipment Module ）、12は試験装置、13は光ファイバ選択装置制御及び試験装置選択装置（ＦＴＥＳ）、14はＦＳマスタ側光ファイバ、15は第１所内光ファイバケーブル、16は第２所内光ファイバケーブル、17は加入者系光ファイバケーブル、18は加入者側光フィルタ、19は通信系光加入者線終端装置、20は映像系光加入者線終端装置である。
【０００４】
光ファイバを介して通信並びに映像サービスを提供する形態について、図９に基づいて説明する。このサービスを高い信頼性で提供するため、設備センター内には、ＦＴＭ100 、光加入者線端局装置収容架９、スターカプラ架10、ＴＥＭ11が設置されている。
【０００５】
通信を提供する通信系光加入者線端局装置７から出力される 1.3μm 帯の通信光と、映像サービスを提供する映像系光加入者線端局装置８から出力される1.55μm 帯の通信光は、第１所内光ファイバケーブル15を介してスターカプラ架10に入射される。このスターカプラ架10の光合分波器５において、 1.3μm 帯と1.55μm 帯との通信光が波長多重され、更に複数出力ポートに波長多重された通信光が等分配される。この光合分波器５の各ポートから出力される通信光は、第２所内光ファイバケーブル16を介してＦＴＭ100 に入射される。ＦＴＭ100 に入射された通信光は、試験光を合分波する光カプラ２を通過し、加入者系光ファイバケーブル17を介して通信系光加入者線終端装置19及び映像系光加入者線終端装置20に波長分波され、通信及び映像サービスとして提供される。
【０００６】
光ファイバケーブルの布設及び保守の際に、設置センター内から光ファイバを試験する方法を以下に説明する。ＦＴＭ100 内のＦＳ３により、光カプラ２からの試験用分岐光ファイバ４とＴＥＭ11内の試験装置12に接続されているＦＳマスタ側光ファイバ14とを、選択的に光結合する。また、ＴＥＭ11内のＦＴＥＳ13により、試験装置12内の光パルス試験器を選択する。以上により、光パルス試験器からの試験光が加入者系光ファイバケーブル17に入射され、損失分布測定及び故障位置探査が迅速に行われる。
【０００７】
ここで、試験を行う際、試験光が通信系光加入者線終端装置19及び映像系光加入者線終端装置20に入射するのを防ぐため、試験光を遮断し通信光を透過する加入者側光フィルタ18が、試験光が通信系光加入者線終端装置19及び映像系光加入者線終端装置20の直前に設置される。また、通信系光加入者線端局装置７に試験光及び映像系光加入者線端局装置８から出力される1.55μm 帯の通信光の反射光等が入射するのを防ぐため、試験光及び1.55μm 帯の通信光を遮断し 1.3μm 帯の通信光を透過する伝送装置側光フィルタ６が、光合分波器５の 1.3μm 帯の通信光の入力ポートに設置される。
【０００８】
図１０は光カプラ２及びＦＳ３を具える従来のＦＴＭ100 の構成を示す図であり、図９の各部に対応する部分には同一の参照符号が付されている。図１０において、21は余長振り分け部材、22は余長処理棚である。ＦＴＭ100 の左側は光カプラ２が各段毎に複数ユニット並設収容されており、この各光カプラ２から分岐された試験用分岐光ファイバ４が最下部に配置されているＦＳ３に接続される。また、右側には、主に第２所内光ファイバケーブル16の接続余長を収容するための余長振り分け部材21及び余長処理棚22が配備された、余長収容スペースが確保されている。
【０００９】
図１１は従来のＦＴＭにおける接続部の構成を示す図であり、図９及び図１０の各部に対応する部分には同一の参照符号が付されている。図１１において、23は光コネクタアダプタ、24は光コネクタ、25は単心テープ心接続部である。光カプラ２には、予め単心テープ心接続部25及び光コネクタ24が装着されている。
【００１０】
サービス開始の際には、加入者系光ファイバケーブル17及びＦＳマスタ側光ファイバ14を光カプラ２に接続する。次にこの光カプラ２に接続された光コネクタアダプタ23に第２所内光ファイバケーブル16側の光コネクタ24を接続してサービス開始となる。この場合、第２所内光ファイバケーブル16が余長振り分け部材21から光カプラ２へ通じる配線経路の長さは一様ではない。従って、第２所内光ファイバケーブル16には、光カプラ２につなぐ光ファイバ部分に必然的に余長が発生し、ＦＴＭにおける収容心線の高密度化を行う場合に、この余長処理が問題になる。
【００１１】
従来のＦＴＭでは、余長振り分け部材21及び余長処理棚22により、ＦＴＭの前面で第２所内光ファイバケーブル16の余長を収納する設計となっている。建設工事或いは故障復旧工事等により、加入者光ファイバケーブルと所内光ファイバケーブルとの光ファイバの切替え接続を行う際に、切替える光ファイバとそれ以外の光ファイバとの絡まりを解き、誤切断のないように作業をするため、その作業に長い時間を要していた。
【００１２】
【発明が解決しようとする課題】
本発明の目的は、上述の問題点に鑑み、加入者光ファイバケーブルと所内光ファイバケーブルとの高密度実装を実現すると共に、切替え接続作業を効率化することができる光ファイバケーブル終端装置を提供することにある。
【００１３】
【課題を解決するための手段】
本発明の光ファイバケーブル終端装置は、上記の目的を達成するため、第１の光ファイバ群である加入者系光ファイバケーブルの光ファイバ群と第２の光ファイバ群である局内光ファイバケーブルの光ファイバ群とを、光ファイバ試験装置が接続されている光カプラを含み前記第１の光ファイバ群を収容する試験アクセスユニット、及び前記第２の光ファイバ群を収容する保持盤ユニットを介して切替可能に接続する光ファイバケーブル終端装置において、
当該光ファイバケーブル終端装置は、前記試験アクセスユニットの光カプラと保持盤ユニットとを接続する複数の挿抜光ファイバを有すると共に、これら試験アクセスユニットと保持盤ユニットとの間に、前記光カプラの一方の側の入出力ポートにそれぞれ接続されている複数の光コネクタアダプタを保持する接続盤と、前記挿抜光ファイバを移動自在に保持する複数の貫通孔を有する整列盤と、挿抜光ファイバを保持する保持盤とを有し、
前記第１の光ファイバ群を前記光カプラの他方の側の入出力ポートにそれぞれ接続し、
前記挿抜光ファイバの一端にそれぞれ光コネクタを接続し、これら光コネクタを前記接続盤の各光コネクタアダプタにそれぞれ挿脱自在に装着し、挿抜光ファイバの他端は前記整列盤の各貫通孔及び保持盤を経て前記保持盤ユニットに収容し、
前記整列盤の両側に挿抜光ファイバの予長部分を収納する光ファイバ収納部をそれぞれ設け、挿抜光ファイバの切替の際に必要な挿抜光ファイバの予長部分を前記光ファイバ収納部に収納することを特徴とする。
【００１４】
このような本発明の光ファイバケーブル終端装置によれば、接続部が、整列盤、保持盤、接続盤及び挿抜光ファイバを具え、更に、整列盤の前後に光ファイバ収納部を具えているので、挿抜光ファイバの余長部を整列盤の前後のスペースに分散して収納でき、切替え作業の作業性を著しく向上させることができる。
【００１５】
本発明の光ファイバケーブル終端装置の挿抜光ファイバがその被覆内部に帯電防止剤を含む光ファイバであることが望ましい。また、挿抜光ファイバがカーボンコート光ファイバであってもよい。また、両者を併用してもよい。このような本発明の装置により、挿抜光ファイバの静電気による絡みを防止することができる。
【００１６】
また、本発明の光ファイバケーブル終端装置においては、挿抜光ファイバが、整列盤の保持穴で引き留められるための挿抜光ファイバストッパを具備することが望ましい。このような本発明の装置により、切替え作業を行う際の挿抜光ファイバの誤操作を防止し並びに破損を防止することができる。更に、挿抜光ファイバストッパが、識別記号を付されたものであることが望ましい。このような本発明の装置により、切替え作業を行う際の確認作業の作業性が著しく向上する。
【００１７】
また、本発明の光ファイバケーブル終端装置においては、整列盤が、挿抜光ファイバを保持穴に挿入するための挿入スリット及び／又は複数個の保持穴に連結する共通スリットを具備することが望ましい。このような本発明の装置により、挿抜光ファイバを保持穴に追加挿入又は保持穴から撤去する際に、挿抜光ファイバのコネクタを保持穴に通す必要がなくなり、光ファイバケーブルの増設又は撤去のための作業が容易になる。更に、整列盤の面積当たりの挿抜光ファイバの収容量を増すことができる。また、整列盤の保持穴の径が、複数本の挿抜光ファイバを保持することが可能な径としてもよい。このような本発明の装置により、挿抜光ファイバの収容密度を更に上げることができる。
【００１８】
また、本発明の光ファイバケーブル終端装置においては、前記成端部が、第１光ファイバを複数本単位で収容し、内部で１本毎に第１光ファイバの端部に接続した単心光コネクタを具え、第１光ファイバを前記保持盤の他面の挿抜光ファイバ端部に接続する保持盤ユニット、及び、第２光ファイバを複数本単位で収容し、前記光合分波部を複数個単位で収容し、前記光ファイバ選択部を収容し、該光ファイバ選択部からの第２光ファイバを前記接続盤の片面に接続する試験アクセスユニットを具備することが望ましい。このような本発明の装置により、光部品及び光ファイバの接続余長の高密度化が可能になり、経済性及び作業性を向上させることができる。更に、これにより、ＦＴＭ全体の高密度化及び小型化を図ることができる。
【００１９】
また、本発明の光ファイバケーブル終端装置においては、前記保持盤ユニットが、１本の光ファイバを複数の光ファイバに分岐する光スプリッタを具備することができる。このような本発明の装置により、従来スターカプラ架に収容されていた光合分波器を保持盤ユニットに内包することが可能になり、設備センター内のスペースを削減でき、経済的な設備運用を行うことが可能になる。
【００２０】
また、本発明の光ファイバケーブル終端装置においては、前記保持盤、接続盤、整列盤、保持盤ユニット及び試験アクセスユニットを複数に分割し、複数の試験アクセスユニットの試験測定器との接続ポートを選択的に試験測定器に接続する第２の光ファイバ選択装置を具備することができる。このような本発明の装置により、所定数毎に光ケーブルを増設することが可能になるため、効率的な運用が可能になる。
【００２１】
また、本発明の光ファイバケーブル終端装置においては、前記光ファイバ選択部が、可視光挿入部、及び、挿抜光ファイバから可視光を漏洩させる曲げ付与部を具備することが望ましい。このような本発明の装置により、挿抜光ファイバの曲げ部分から外部に洩れ出る可視光によって識別できるので、切替え作業を行う際の挿抜光ファイバの誤操作を防止することができる。
【００２２】
【発明の実施の形態】
次に本発明の光ファイバケーブル終端装置の実施例を説明する。
【００２３】
〔第１実施例〕
図１乃至図４を用いて第１実施例を説明する。図１は実施例のＦＴＭの正面図、図２は上面図、図３はＦＴＭ内の光配線の経路を示す図、図４は接続替え作業の手順を説明する図である。これらの図で、図９乃至図１１の各部に対応する部分には同一の参照符号が付されている。
【００２４】
図１において、１はＦＴＭ、26は整列盤、27は挿抜光ファイバ、28は加入者系光ファイバケーブル余長処理部品、29は所内成端ケーブル余長処理部品、30は接続盤前面コードトレー、32は加入者系光ファイバケーブル固定部前面コードトレー、34は加入者系光ファイバケーブル固定部、39は前面挿抜光ファイバ余長収納部、47は接続盤、49は保持盤ユニットである。また、図２において、31は接続盤背面コードトレー、33は加入者系光ファイバケーブル固定部背面コードトレー、35は所内ケーブル固定部、36は加入者系光ファイバケーブルコード部、37は所内成端ケーブルコード部、38は保持盤、40は背面挿抜光ファイバ余長収納部、41は挿抜光ファイバストッパである。また、図３において、48は試験アクセスユニットである。
【００２５】
試験アクセスユニット48は、加入者系光ファイバケーブル17からの光ファイバを複数本単位で収容し、複数個の光カプラ２及びこの光カプラ２とＴＥＭ11とを接続するＦＳ３で構成されており、接続盤47で挿抜光ファイバ27と接続される。保持盤ユニット49は第２所内光ファイバケーブル16からの光ファイバを複数本単位で収容し、これを保持盤38に保持されている挿抜光ファイバ27に複数本単位で接続する。
【００２６】
次にＦＴＭ内の光ファイバケーブルの配線経路を説明する。加入者系光ファイバケーブル17は加入者系光ファイバケーブル固定部34で固定され、加入者系光ファイバケーブル17の先端部である加入者系光ファイバケーブルコード部36が、加入者系光ファイバケーブル固定部34から加入者系光ファイバケーブル余長処理部品28及び接続盤背面コードトレー31を通り、光カプラ２の背面に接続される。ここで、加入者系光ファイバケーブル17のうち、加入者系光ファイバケーブル固定部34以降光カプラ２側の先端部が、加入者系光ファイバケーブルコード部36になっている。
【００２７】
光カプラ２と挿抜光ファイバ27とは、光カプラ２の前面の接続盤47が具備する光コネクタアダプタ23と挿抜光ファイバ27の光コネクタ24と取外し可能な状態で固定されている。挿抜光ファイバ27は、接続盤前面コードトレー30、前面挿抜光ファイバ余長収納部39、整列盤26、背面挿抜光ファイバ余長収納部40及び加入者系光ファイバケーブル固定部背面コードトレー33を経由して、保持盤38に接続され、更に保持盤ユニット49の背面に接続される。
【００２８】
保持盤ユニット49に収容された挿抜光ファイバ27は、保持盤ユニット49の前面で所内成端ケーブルコード部37と接続され、所内成端ケーブルコード部37は、加入者系光ファイバケーブル固定部前面コードトレー32及び所内成端ケーブル余長処理部品29を経由して所内ケーブル固定部35に固定される。所内ケーブル固定部35から先の第１所内光ファイバケーブル15は、他の所内装置に配線される。ここで、第１所内光ファイバケーブル15のうち、保持盤ユニット49の先端部で所内ケーブル固定部35以降が所内成端ケーブルコード部37となっている。
【００２９】
次に、図４を用いて、整列盤26を用いる挿抜光ファイバ27の接続替えの方法を説明する。挿抜光ファイバ27は、整列盤26に摺動可能に緩く保持されるので、前面挿抜光ファイバ余長収納部39及び背面挿抜光ファイバ余長収納部40に挿抜光ファイバ27の余長部分を分散させて収納する。また、接続替えの時、前面挿抜光ファイバ余長収納部39に多くの挿抜光ファイバ27の余長部分があっても、一旦整列盤26の保持穴位置まで光コネクタ24を引き上げるため、操作性及び視認性を確保できる。
【００３０】
挿抜光ファイバ27の接続替えは、接続盤47が具備する第１の光コネクタアダプタ23に固定された挿抜光ファイバ27の光コネクタ24を、接続盤47が具備する第２の光コネクタアダプタ23に差し替えることによって行う。図４(a) は接続状態を示す。第１の光コネクタアダプタ23に挿抜光ファイバ27の光コネクタ24が固定されている。図４(b) では、第１の光コネクタアダプタ23から光コネクタ24が引き抜かれている。図４(c) では、光コネクタ24が引き抜かれた挿抜光ファイバ27を整列盤26の背面から引き上げ、挿抜光ファイバ27の光コネクタ24を整列盤26の保持穴の近くまで引き戻す。これにより、多くの挿抜光ファイバ27の余長部分が収納されている前面挿抜光ファイバ余長収納部39から、当該光コネクタ24を選択することができる。図４(d) では、前記光コネクタ24を選択し、挿抜光ファイバ27を整列盤26の前面に必要な長さだけ引き出す。この時当該挿抜光ファイバ27の位置が他の挿抜光ファイバの外側になるようにし、当該挿抜光ファイバ27の光コネクタ24を接続盤47が具備する第２の光コネクタアダプタ23に接続する。図４(e) では、挿抜光ファイバ27の余長部分を、前面挿抜光ファイバ余長収納部39及び背面挿抜光ファイバ余長収納部40に、操作性及び視認性を確保できるようにバランスよく収納する。
【００３１】
この実施例により、挿抜光ファイバ27の余長部分が存在しても、切替える当該挿抜光ファイバとコネクタとを容易に選択できるため、接続替えの際の操作時間を短縮することができる。
【００３２】
〔第２実施例〕
この実施例においては、挿抜光ファイバ27にカーボンコート光ファイバを用いた。この実施例により、挿抜光ファイバの巻き上げ及び引出しを行う際に発生する静電気を防止し、挿抜光ファイバの絡みを防ぐことができた。更に、挿抜光ファイバの被覆材に帯電防止剤を練り込んだ実施例においては、静電気発生の抑制効果は更に向上した。
【００３３】
〔第３実施例〕
この実施例においては、挿抜光ファイバ27に挿抜光ファイバストッパ41を装着した。図３において、整列盤26の背面側の挿抜光ファイバ27に挿抜光ファイバストッパ41を装着することにより、挿抜光ファイバ27の引出し過ぎを防止することができた。整列盤26の前面側には光コネクタ24があるので、挿抜光ファイバ27が整列盤26の前面及び背面に抜けることがなくなる。挿抜光ファイバストッパ41は整列盤26の保持穴44を通過できない大きさ及び形状を有し、整列盤26から保持盤38まで配線されている挿抜光ファイバ27の引出し過多による折り曲げ及び捩れを防ぐ役割を果たす。
【００３４】
〔第４実施例〕
この実施例においては、挿抜光ファイバストッパ41にバーコードを利用する挿抜光ファイバ識別記号を付与した。この実施例では、バーコードリーダーを用いて容易に必要な挿抜光ファイバ27の選択を行うことができるので、挿抜光ファイバ27を巻き上げる際、整列盤26の背面から確実且つ迅速に挿抜光ファイバ27の選択を行うことができた。これにより、接続替えの際に操作性の向上及び誤操作の防止を実現することができた。
【００３５】
〔第５実施例〕
この実施例においては、図５に示した整列盤26を用いる例を説明する。図５において、44は保持穴、45は挿抜光ファイバ挿入スリット、46は挿抜光ファイバ挿入スリット用蓋である。挿抜光ファイバ27の増設及び接続替えを行う場合に、この実施例により、整列盤26に対して挿抜光ファイバ27を着脱する方法を説明する。まず、挿入する場合は、スリット用蓋46を外し、スリット45の右側から挿抜光ファイバ27を挿入し、整列盤26の保持穴44に誘導する。挿入後はスリット用蓋46を取付けて挿抜光ファイバ27が抜け出ないようにする。次に、挿抜光ファイバ27を整列盤26から抜き取る場合は、スリット用蓋46を外し、挿抜光ファイバ27を保持穴44から抜き取り、スリット45中を動かして、スリット45の右側から抜き取る。抜き取った後は、スリット用蓋46を取付けて、残りの他の挿抜光ファイバ27が抜け出ないようにする。整列盤26の保持穴44の径は、挿抜光ファイバ27の径と同程度であり、挿抜光ファイバ27を高密度で整列盤26に収容する。
【００３６】
〔第６実施例〕
この実施例においては、図６に示した整列盤26を用いる例を説明する。図６の整列盤26の構成では、保持穴44に複数本の挿抜光ファイバ27を収容する大きさを持たせる構成とする。これにより、挿抜光ファイバ27を更に高密度で整列盤26に収容することができる。
【００３７】
〔第７実施例〕
この実施例においては、図７に示すように、可視光を用いて挿抜光ファイバ27を識別する構成を用いる。Ｈｅ−Ｎｅレーザー43で発生した可視光がＦＳマスタ側光ファイバ14から挿入され、ＦＳ３、光カプラ２からの試験用分岐光ファイバ４、光カプラ２及び接続盤47を通って挿抜光ファイバ27に伝搬し、前面挿抜光ファイバ余長収納部39及び背面挿抜光ファイバ余長収納部40に収納された挿抜光ファイバ27の曲げ部分で、このレーザー光が外部に洩れ出る。この洩れ光を目視することにより、挿抜光ファイバ27を識別することができた。これにより、挿抜光ファイバ27を巻き上げる際、確実且つ迅速に当該挿抜光ファイバ27を整列盤26の背面から選択でき、接続替え作業を行う際に作業性を向上させることができ、且つ誤操作を防止することができた。また、可視光源としてＨｅ−Ｎｅレーザーに代えて半導体レーザーを用いても同様の効果が得られた。
【００３８】
〔第８実施例〕
この実施例においては、図８に示すように、保持盤ユニット49に光合分波器５及び伝送装置側光フィルタ６を具えるスプリッタモジュール42を含む。このような構成とすることにより、従来用いられていたスターカプラ架をＦＴＭ内に取り込んだ構成とすることができ、設備センター内のＦＴＭの占有スペースを削減することができる。スプリッタモジュール42を着脱可能なユニットとすることができる。
【００３９】
【発明の効果】
以上の説明のとおり、本発明のＦＴＭによれば、加入者光ファイバケーブルと所内光ファイバケーブルとの接続において、保持盤、接続盤、整列盤及び挿抜光ファイバを具える構成により、光ファイバ余長収容能力の向上、接続替えを行う時の絡みの防止、及び、接続替えを行う時の作業性の向上を実現することができる。また、バーコードを利用した挿抜光ファイバの識別システム或いは可視光源の利用により、接続替えの作業における誤操作を防止することができる。また、スプリッタモジュールを着脱可能なユニットとすることにより、ネットワーク形態に応じた柔軟なシステム設計が可能になる。
【図面の簡単な説明】
【図１】本発明の光ファイバケーブル終端装置の実施例の正面図である。
【図２】図１の実施例の上面図である。
【図３】光ファイバケーブル終端装置内の光配線の経路を示す図である。
【図４】接続替え作業の手順を説明する図である。
【図５】本発明の光ファイバケーブル終端装置における整列盤の実施例を説明する図である。
【図６】本発明の光ファイバケーブル終端装置における整列盤の他の実施例を説明する図である。
【図７】本発明の光ファイバケーブル終端装置における可視光を用いて挿抜光ファイバを識別する構成を説明する図である。
【図８】本発明の光ファイバケーブル終端装置におけるスプリッタモジュールを説明する図である。
【図９】従来の光ファイバケーブル終端装置を含む所内設備の構成を示す図である。
【図１０】光カプラ及びＦＳを具える従来の光ファイバケーブル終端装置の構成を示す図である。
【図１１】従来の光ファイバケーブル終端装置における接続部の構成を示す図である。
【符号の説明】
１  本発明の光ファイバケーブル終端装置
２  光カプラ
３  光ファイバ選択装置（ＦＳ）
４  光カプラからの試験用分岐光ファイバ
５  光合分波器
６  伝送装置側光フィルタ
７  通信系光加入者線端局装置
８  映像系光加入者線端局装置
９  光加入者線端局装置収容架
１０  スターカプラ架
１１  試験装置架（ＴＥＭ）
１２  試験装置
１３  光ファイバ選択装置制御及び試験装置選択装置（ＦＴＥＳ）
１４  ＦＳマスタ側光ファイバ
１５  第１所内光ファイバケーブル
１６  第２所内光ファイバケーブル
１７  加入者系光ファイバケーブル
１８  加入者側光フィルタ
１９  通信系光加入者線終端装置
２０  映像系光加入者線終端装置
２１  余長振り分け部材
２２  余長処理棚
２３  光コネクタアダプタ
２４  光コネクタ
２５  単心テープ心接続部
２６  整列盤
２７  挿抜光ファイバ
２８  加入者系光ファイバケーブル余長処理部品
２９  所内成端ケーブル余長処理部品
３０  接続盤前面コードトレー
３１  接続盤背面コードトレー
３２  加入者系光ファイバケーブル固定部前面コードトレー
３３  加入者系光ファイバケーブル固定部背面コードトレー
３４  加入者系光ファイバケーブル固定部
３５  所内ケーブル固定部
３６  加入者系光ファイバケーブルコード部
３７  所内成端ケーブルコード部
３８  保持盤
３９  前面挿抜光ファイバ余長収納部
４０  背面挿抜光ファイバ余長収納部
４１  挿抜光ファイバストッパ
４２  スプリッタモジュール
４３  Ｈｅ−Ｎｅレーザー
４４  保持穴
４５  挿抜光ファイバ挿入スリット
４６  挿抜光ファイバ挿入スリット用蓋
４７  接続盤
４８  試験アクセスユニット
４９  保持盤ユニット
１００  従来の光ファイバケーブル終端装置
【図１】
0003649910.tif 000002
【図２】
0003649910.tif 000003
【図３】
0003649910.tif 000004
【図４】
0003649910.tif 000005
【図５】
0003649910.tif 000006
【図６】
0003649910.tif 000007
【図７】
0003649910.tif 000008
【図８】
0003649910.tif 000009
【図９】
0003649910.tif 000010
【図１０】
0003649910.tif 000011
【図１１】
0003649910.tif 000012